(57)【特許請求の範囲】
【請求項１】
洗浄機本体と、洗浄槽と、ロック機構と、使用者が操作する運転スイッチとを備えた引き出し式食器洗浄機であり、
洗浄機本体は、少なくとも前面が開放された箱状であり、
洗浄槽は、洗浄機本体内に収容された収容位置から引き出し可能であり、
ロック機構は、洗浄槽の外側の側面に取付けられ、その側面から外側に伸びる係合受け部材と、洗浄機本体の内側の側面に取付けられ、洗浄機本体に対して可動に装着された係合部材と、洗浄機本体の内側の側面に取付けられ、係合部材に係止する係止部材と、非係止位置に付勢されている係止部材を係止位置に駆動する駆動手段と、係合受け部材が係合部材に係合したときに食器洗浄機を運転待機状態にする電源スイッチを有し、
係合部材は、洗浄槽が収容位置に収容されたときに係合受け部材に係合し、
電源スイッチがオンであって食器洗浄機が運転待機状態であるときに運転スイッチが操作されると、駆動手段が係止部材を係止位置に移動させ、係合受け部材に係合した係合部材に係止して係合部材の移動を禁止し、
係合受け部材と係合部材と係止部材は、洗浄機本体の側面に平行な同一平面内に配置された領域を有し、かつ、係合受け部材の外側の端は、係合部材と係止部材のいずれの外側の端よりも内側に位置していることを特徴とする引き出し式食器洗浄機。
【請求項２】
前記係合受け部材に係合している前記係合部材に前記係止部材が係止していることを検知する信号スイッチを有し、前記係合部材と前記係止部材と前記駆動手段と前記電源スイッチと前記信号スイッチが同一平面内に配置された領域を有することを特徴とする請求項１に記載の引き出し式食器洗浄機。
【請求項３】
係止部材が非係止位置にあるときに洗浄槽に引き出し力を加えると係合部材と係合受け部材の係合状態が解除され、係止部材が係止位置にあるときに洗浄槽に引き出し力を加えても係合部材と係合受け部材の係合状態が解除されないことを特徴とする請求項１または２に記載の引き出し式食器洗浄機。
【請求項４】
前記電源スイッチが前記係合受け部材に前記係合部材が係合していることを検知しており、前記信号スイッチが前記係合部材に前記係止部材が係止していることを検知している間のみ、洗浄ポンプの運転を許容することを特徴とする請求項２または３に記載の引き出し式食器洗浄機。
【請求項５】
洗浄ポンプの運転中止後、所定時間遅れて駆動手段への通電をオフして係止部材による係合部材の係止状態を解除することを特徴とする請求項１〜４のいずれかに記載の引き出し式食器洗浄機。
【発明の詳細な説明】
【０００１】
【発明の属する技術分野】
本発明は、食器等を洗浄する食器洗浄機に関する。特に、引き出し式食器洗浄機の洗浄槽を収容位置にロックする技術に関する。
【０００２】
【従来の技術】
洗浄機本体から洗浄槽を引き出すことが可能な引き出し式食器洗浄機（以下、食器洗浄機と略す）が開発されている。この種の食器洗浄機は、洗浄槽の上部が開放され、洗浄機本体内部の上部にシール蓋が配置されている。洗浄槽が収容位置に戻されると、シール蓋が降下して洗浄槽上部の開放部に蓋をする。洗浄槽が引き出される場合にはシール蓋が上昇してシール蓋が洗浄槽の移動を妨げないようする。このために、洗浄槽の移動をシール蓋の上下動に変換するシール蓋の開閉機構が組込まれている。洗浄槽が収容位置に収容されて洗浄槽がシール蓋によって蓋をされると、食器の洗浄のために洗浄槽の中に勢いよく洗浄水を噴射しても、噴射された洗浄水が洗浄槽の外に漏れ出すことはない。
【０００３】
シール蓋が上下動して洗浄槽の上部開放部に蓋をする食器洗浄機では、洗浄運転中にうっかりと洗浄槽を引き出すと、洗浄槽のシール蓋が上昇するために洗浄槽の外に洗浄水が漏れ出してしまう。このため、洗浄運転中は洗浄槽を収容位置から引き出せないようにしておく（ロックする）必要がある。洗浄運転中に洗浄槽を収容位置にロックしておく機構として、使用者がロックレバーを操作して洗浄槽を収容位置にロックしておく方式、あるいは洗浄槽が収容位置に収容されて洗浄運転スイッチがオンにされると、ロック機構が自動的に作動して洗浄槽が収容位置にロックされる方式がある。
ロックレバーで洗浄槽をロックしておく方式は操作が面倒であり、洗浄運転スイッチをオンすることで洗浄槽がロックされる方式の方が使用者にとっては負担が少なく、好まれる。
【０００４】
【発明が解決しようとする課題】
しかしながら、使用者が操作して洗浄槽をロックする方式に比べて、洗浄運転スイッチのオンに連動して洗浄槽をロックする方式は、その構成が複雑にならざるを得なかった。
本発明は、上述した問題を解決するためになされたものであり、構成が簡単な洗浄槽のロック機構を提供することを課題とする。
【０００５】
【課題を解決するための手段および作用と効果】
第１の食器洗浄機は、洗浄機本体と、洗浄槽と、ロック機構とを備えている。洗浄機本体は、少なくとも前面が開放された箱状である。洗浄槽は、洗浄機本体内に収容された収容位置から引き出し可能である。ロック機構は、洗浄槽に形成された係合受け部材と、前記洗浄機本体に対して可動に装着された係合部材と、この係合部材に係止する係止部材と、この係止部材を係止位置に駆動する駆動手段とから構成されている。係合部材は、収容位置に収容された洗浄槽の係合受け部材に係合する。係止部材は、駆動手段によって駆動され、係合受け部材に係合した係合部材に係止する。
【０００６】
上記の食器洗浄機では、洗浄槽に係合受け部材が形成され、その係合受け部材に係合する係合部材が洗浄機本体に装着される。この係合部材は洗浄機本体に対して動くことができる。また、係止手段が駆動手段によって駆動され、係合受け部材に係合した係合部材に係止する状態と係止しない状態との間で切換えられる。洗浄槽が収容位置に収容されると、係合部材が洗浄槽の係合受け部材に係合する。係合部材が係合受け部材に係合すると、駆動手段によって駆動される係止部材がその係合部材に係止する（ロックする）。すると、洗浄槽は、収容位置において、係合部材と係止部材によって洗浄機本体にロックされる。
なお、係合部材は、洗浄槽が収容位置におかれたときに洗浄槽に係合するので、洗浄槽の位置を検知する目的に用いることができる。例えば、係合部材の位置を電気的スイッチで検出することによって洗浄槽が収容位置に収容されたか否かの判別を行なうことができる。
【０００７】
このように構成された食器洗浄機のロック機構は、係合部材を介して係止部材が洗浄槽の係合受け部材をロックする。このため、洗浄槽には、係止部材と直接対応する部材を用意する必要はない。これに対して、係止部材が直接洗浄槽をロックする構成とすると、洗浄槽側にこれと対応する部材を別途設けなければならない。すなわち、ロック機構の構成が複雑になってしまう。
従って、上記の構成によれば、ロック機構の構成が簡単な食器洗浄機を得ることができる。
【０００８】
第２の食器洗浄機は、洗浄機本体と、洗浄槽と、ロック機構とを備えている。洗浄機本体は、少なくとも前面が開放された箱状である。洗浄槽は、洗浄機本体内に収容された収容位置から引き出し可能である。ロック機構は、洗浄機本体に形成された係合受け部材と、洗浄槽に対して可動に装着された係合部材と、この係合部材に係止する係止部材と、この係止部材を係止位置に駆動する駆動手段とから構成されている。係合部材は、洗浄槽が収容位置に収容されたときに洗浄機本体の係合受け部材に係合する。係止部材は、駆動手段に駆動されて係合受け部材に係合した係合部材に係止する。
上記の食器洗浄機では、洗浄機本体に係合受け部材が形成され、その係合受け部材に係合する係合部材が洗浄槽に装着される。この係合部材は洗浄槽に対して動くことができる。また、係止手段が駆動手段によって駆動され、係合受け部材に係合した係合部材に係止する状態と係止しない状態との間で切換えられる。洗浄槽が収容位置に収容されると、係合部材が洗浄機本体の係合受け部材に係合する。係合部材が係合受け部材に係合すると、駆動手段によって駆動される係止部材がその係合部材に係止する。すると、洗浄槽は、収容位置において、係合部材と係止部材によって洗浄機本体にロックされる。
このように構成された食器洗浄機によれば、第１の食器洗浄機と同様の作用と効果を得ることができる。
【０００９】
第１または第２の食器洗浄機においては、前記係合受け部材に係合部材が係合していることを検知する電源スイッチと、前記係合受け部材に係合している前記係合部材に前記係止部材が係止していることを検知する信号スイッチを有し、前記係合部材と前記係止部材と前記駆動手段と前記電源スイッチと前記信号スイッチが同一平面内に配置されていることが好ましい。
上記の食器洗浄機は、係合部材が係合していることを検知する電源スイッチと、係合している係合部材に係止部材が係止していることを検知する信号スイッチを有している。また、係合部材と係止部材と駆動手段と電源スイッチと信号スイッチが平面的に構成される。
このような構成によれば、電源スイッチと信号スイッチの検知結果を食器洗浄の運転制御に用いることができる。また、係合部材と係止部材と駆動手段と電源スイッチと信号スイッチが同一平面内に配置されていると、それらを立体的に配置する場合に比べてスペースの無駄がない。すなわち、スペースの利用効率を高めることができる。
【００１０】
第１または第２または第３の食器洗浄機においては、前記係合部材は、前記洗浄槽を収容位置において安定的に保持するものであることが好ましい。
上記の構成の食器洗浄機の係合部材は、第１または第２または第３の食器洗浄機の機能に加えて、洗浄槽を収容位置に安定的に保持することができる。従って、洗浄槽を勢いよく収容位置に戻した場合の反動で押し戻されたり、収容したつもりのものが収容されていないといった不具合が起きるのを防止できる。
【００１１】
第３または第４の食器洗浄機においては、前記電源スイッチが前記係合受け部材に前記係合部材が係合していることを検知しているときに、前記係止部材が前記駆動手段に駆動されて前記係合部材に係止し、前記信号スイッチが前記係合部材に前記係止部材が係止していることを検知している間のみ洗浄ポンプの運転を許容することが好ましい。
上記の食器洗浄機は、電源スイッチが、係合受け部材に係合部材が係合していること（すなわち、洗浄槽が収容位置に収容されていること）を検知しているときに、駆動手段に駆動されて係止部材が係合部材に係止する。また、信号スイッチが、係合受け部材に係合している係合部材に係止部材が係止していること（すなわち、洗浄槽がロックされていること）を検出している間のみ洗浄ポンプの運転が許容される。
従って、洗浄槽が収容位置に収容されていることが確認されてから洗浄槽がロックされ、洗浄ポンプが運転中には洗浄槽を収容位置から引き出すことができないので、洗浄槽の蓋が洗浄ポンプ運転中に開いてしまい、洗浄水が洗浄槽の外に漏れ出すことが防止される。
【００１２】
第１〜５のいずれか１つの食器洗浄機においては、洗浄ポンプの運転中止後、所定時間遅れて駆動手段をオフすることが好ましい。
上記の食器洗浄機では、洗浄ポンプの運転中止後、所定時間が経過しないと係止手段を駆動している駆動手段がオフにされない。すなわち、洗浄ポンプが運転を中止してから所定時間が経過しないと、係止手段による洗浄槽のロックが解除され、洗浄槽を収容位置から引き出すことができない。従って、洗浄ポンプの運転中止後も直ちには噴射が停止しない洗浄水が、洗浄槽の外に漏れ出すのを防止できる。
【００１３】
第７の食器洗浄機は、洗浄槽に固定されたロックピンと、そのロックピンの往復動に連動して揺動するカムと、そのカムの揺動によって洗浄槽が収容位置にあるときにオンする電源スイッチと、その電源スイッチのオンに連動して駆動される電磁ソレノイドと、その電磁ソレノイドによって揺動するレバーと、そのレバーが揺動して前記カムの揺動を禁止する位置にあるときにオンする信号スイッチと、その信号スイッチがオンしている間のみ洗浄ポンプの運転を許容する運転制御手段を有し、前記カムと前記電源スイッチと前記電磁ソレノイドと前記レバーと前記信号スイッチを同一平面内に配置した。
上記の食器洗浄機は、洗浄槽に固定されたロックピンの往復動に連動して揺動するカムが、洗浄槽が収容位置にあるときに電源スイッチをオンにする。電磁ソレノイドは、電源スイッチのオンに連動して駆動され、レバーを揺動する。信号スイッチは、レバーが揺動してカムの揺動を禁止する位置にあるときにオンとなる。運転許容手段は、信号スイッチがオンとなっている間のみ洗浄ポンプの運転を許容する。カムと電源スイッチと電磁ソレノイドとレバーと信号スイッチは、同一平面内に配置されている。
従って、洗浄槽が収容位置に収容されていることが確認されてから、カムを介してレバーによって洗浄槽がロックされ、洗浄ポンプが運転中には洗浄槽を収容位置から引き出すことができない。このため、洗浄槽の蓋が洗浄ポンプの運転中に開いてしまい、洗浄水が洗浄槽の外に漏れ出すことが防止される。
【００１４】
【発明の実施の形態】
上述した請求項に記載の食器洗浄機は、下記に示す形態で好適に実施することができる。
（形態１）係合部材は、切り込みが形成された回転自由なカムであり、係合受け部材はロックピンであり、前記切り込みに前記ロックピンが係合する。駆動手段は、電気的に作動するソレノイドであり、係止部材は、一端に係止部位が形成された揺動可能なレバーであり、そのソレノイドがレバーの他端に連結されて係止部位が揺動する。前記ソレノイドが駆動されると係止部材の係止部位がカムに係止する。
【００１５】
【実施例】
（実施例１）  本発明の第１実施例の食器洗浄機１０について、図面を参照しながら説明する。図１は、洗浄機本体２０から洗浄槽２２が引き出された状態を示す食器洗浄機１０の斜視図である。図２は、洗浄槽が引き出された状態での食器洗浄機の縦断面図であり、図３は、収容された状態での食器洗浄機の縦断面図である。図４は、ロックボックスの外観図である。図５は、図４のＶ−Ｖ線矢視図である。図６（ａ）から（ｄ）は、ロックボックスの内部構成部材と、この内部構成部材が洗浄槽のロックピンをロックする過程を示した図面である。図７、図８、図９は、それぞれ図６（ｄ）のＶＩＩ−ＶＩＩ線断面図、ＶＩＩＩ−ＶＩＩＩ線断面図、ＩＸ−ＩＸ線断面図である。図１０は、洗浄運転状態における食器洗浄機の縦断面図である。
【００１６】
図１に示されているように、食器洗浄機１０の洗浄機本体２０は、前方（この反対側を後方とする。以下同じ）が開放されており、ここに洗浄槽２２が引き出し可能に装着される。洗浄槽２２は、前面に扉２４を有し、上部が開放された箱状に形成されている。この上部の開放部から、使用者は食器３３を出し入れする。洗浄槽２２の扉２４には、使用者が洗浄槽２２に収容／引き出しのための力を加える取っ手２４ａが形成されている。使用者によって洗浄槽２２が収容位置に戻されると、洗浄槽２２の動きと連動して作動するシール蓋開閉機構によって、洗浄機本体２０の内側の上部に配置されているシール蓋が降下し、洗浄槽２２の上部開放部は蓋をされる（図１においては、シール蓋は図示されていない）。この状態で、操作パネル２５に設けられている運転スイッチをオンにすると、洗浄槽２２が収容位置にロックされるとともに、食器洗浄機１０の運転が開始される。食器洗浄機１０が運転されると、洗浄槽２２に入れられた食器３３に洗浄水が勢いよく吹き付けられ、この作用によって食器３３は洗浄される。
【００１７】
以上、簡単に食器洗浄機１０の動作を説明した。続いて、食器洗浄機１０の構成について詳細に説明する。
図２、図３に示されているように、洗浄槽２２の下部両側面には前後に伸びる洗浄槽レール３２が固定されている。また、洗浄機本体２０の、洗浄槽レール３２に対応する位置に、本体側レール３４が固定されている。図示していないが、本体側レール３４の前後には、それぞれ１個の回転可能なローラが装着されている。そして、このローラと本体側レール３４との間に挟み込まれるように、洗浄槽レール３２が装着される。従って、洗浄槽２２は、本体側レール３４に案内されて、収容位置（図３）と引き出し位置（図４）との間でスライド可能であり、かつ上下方向の移動は規制される。
【００１８】
洗浄機本体２０の内側の上部には、略平板状に形成されているシール蓋３６が配置されている。シール蓋３６の下部の外周には断面が丸形状の弾性部材から形成されているシール３７が取り付けられている。シール蓋３６は、シール蓋開閉機構（図示していない）に案内されて、洗浄槽２２の上部開放部に蓋をする降下した位置と、開放する上昇した位置との間を移動する。そして、シール蓋開閉機構は、洗浄槽２２が収容位置に戻されると、この動きに連動してシール蓋３６を上昇位置から降下させ、シール蓋３６のシール３７を洗浄槽２２の上部開放部の周縁２２ａに押しつける。洗浄槽２２の上部開放部の周縁２２ａにシール３７が押しつけられると、シール３７が変形して密着し、洗浄槽は密閉される（蓋がされる）。なお、シール蓋３６の上昇位置と降下位置との間の移動距離は小さいので、その差は図２と図３には表されていない。
【００１９】
図２、図３に示されているように、洗浄槽２２の中には食器３３が入れられる。食器３３は、食器カゴ（図面の明瞭化の為に図示していない）に収められる。食器カゴは、曲げ加工された線状の部材を組み合わせて製作されており、異なる種類の食器（大皿、小皿、コップ、丼等）を保持するために、食器の種類に対応した形状に形成されている。
洗浄槽２２の下部には、洗浄ポンプ４２が装着されている。この洗浄ポンプ４２は、電気モータ４２ｃによって回転駆動されるインペラ４２ａとファン４２ｂを有している。回転駆動されるファン４２ｂは、電気モータ４２ｃに空気を吹き付け、電気モータ４２ｃを冷却する。インペラ４２ａは、回転して洗浄水を吸い込み、洗浄水を加圧した後に吐出する。洗浄槽２２の下部には吸込み通路２２ｂが形成され、洗浄槽２２の底部と洗浄ポンプ４２のインペラ４２ａ部とを連通させている。さらには、インペラ４２ａ部とノズル４４との間も吐出通路４７によって連通されている。ノズル４４は、吐出通路４７を軸として回転自由に取り付けられており、その表面には複数のノズル穴４４ａが設けられている。ノズル穴４４ａは、ノズル４４の内部に洗浄水が供給された場合に、真上に洗浄水を噴出する形状に形成されているものが多いが、一部は回転軸に対して回転モーメントを発生させるために斜め方向に洗浄水を噴出する形状に形成されている。このため、ノズル穴４４ａから洗浄水が噴出するとノズル４４は回転し、洗浄槽２２の内部にくまなく洗浄水を吹き付ける。また、洗浄槽２２の底部と吸込み通路２２ｂとの間には、網の目状に形成され、使用者が脱着可能なフィルタ４６が装着されている。
【００２０】
続いて、洗浄槽をロックする機構の構成について説明する。ロックボックス５４は、図２に明瞭に示されているように、洗浄機本体２０の側壁２０ａの内側に取り付けられている。図５に示されているように、ロックボックス５４は、カムやレバー等の内部機構を収容するケーシング５５と、ケーシング５５に蓋をするカバー５６等から構成されている。図４に示されるように、カバー５６は、４本のスクリュウ５７によってケーシング５５に取り付けられる。また、洗浄機本体２０の側壁２０ａへのロックボックス５４の取り付けは、ケーシング５５に形成されているフック５５ａを側壁２０ａに開口しているフック穴に差し込み、さらにスクリュウ５８を締め付けることによって行われている。
図２、図３、図５に示されているように、洗浄槽２２の側面２２ｃには、ロックピン５２が取り付けられている。図５によく示されているように、ロックピン５２の一端５２ａは円柱状に形成されており、他端にはネジ５２ｂが形成され、これらの中間部には固定ナット５２ｃが形成されている。洗浄槽２２の側面２２ｃへのロックピン５２の取り付けは、側面２２ｃに開口された丸穴にロックピン５２のネジ５２ｂを差し込み、ナット５９を締め込むことで行われている。
【００２１】
ロックボックス５４には凹状の切り込み部５４ａが形成されており、ここに収容位置に戻された洗浄槽２２のロックピン５２が入り込み、ロックボックス５４の内部に収容されているカムやレバー等の機構がロックピン５２を係止することにより、洗浄槽２２は収容位置にロックされる。以下においては、ロックボックス５４の内部に収容されている機構について詳細に説明する。
図６（ａ）は、洗浄槽が引き出し位置にある状態で、カバー５６を取り外してロックボックス５４の内部を図示したものである。略扇状に形成されているカム６２は、切り込み部６２ａを有し、回転軸６３によってケーシング５５に回転自由に装着されている。ねじりバネであるスプリング６４は、軸６５に中間部が差し込まれ、一端がケーシング５５に形成されている凸部５５ｂに取り付けられ、他端がカム６２に形成された凸部６２ｂに取り付けられている。このため、カム６２には反時計回り方向の力がスプリング６４によって付勢され、カム６２は図６（ａ）に示されている位置で、ストッパ５５ｃに当接する。
【００２２】
ソレノイド６６は、スクリュウ６７によってケーシング５５に取り付けられている。ソレノイド６６は、内部に電磁コイルを内蔵しており、通電されると作動（電磁コイルが励磁される）してプランジャ６６ａを引き込む。通電されていない状態では、プランジャ６６ａは、スプリング６６ｂの力によって伸展する。伸展したプランジャ６６ａは、ケーシング５５に固定されているストッパ６８に当接する。
略Ｌ字状のレバー７２は、回転軸７３によって回転自由にケーシング５５に装着されている。レバー７２の一端はソレノイド６６のプランジャ６６ａに連結され、他端には係止部７２ａが形成されている。
上記のロックピン５２と、カム６２と、レバー７２とが、それぞれ請求項に記載の係合受け部材と、係合部材と、係止部材に相当する。
【００２３】
電源スイッチ７５が、スクリュウ７６によってケーシング５５に取り付けられる。電源スイッチ７５には、押し込み可能なボタン７５ａが設けられており、このボタン７５ａが押し込まれると、端子７５ｂと端子７５ｃの間が電気的に通となる（オンとなる）。
信号スイッチ７９が、スクリュウ７８によってケーシング５５に取り付けられており、押し込み可能なボタン７９ａと板状のアクチュエータ７９ｂを有している。アクチュエータ７９ｂの先端７９ｃが押されると、アクチュエータ７９ｂを介して押しボタン７９ａが押し込まれ、信号スイッチ７９はオンとなり、端子７９ｄと端子７９ｅの間が電気的に通となる。
【００２４】
ここで、電源スイッチ７５、ソレノイド６６、信号スイッチ７９の作動シークエンスを説明しておく。
電源スイッチ７５がオンになり、端子７５ｂと端子７５ｃの間が電気的に通となると、図示していない電気回路によって食器洗浄機１０は運転待機状態となり、この状態で使用者が操作パネル２５に設けられている運転スイッチを入れる（オンにする）と、ソレノイド６６が作動する。その後に信号スイッチ７９がオンになり、端子７９ｄと端子７９ｅが電気的に通となると、食器洗浄機１０の運転が開始される。
【００２５】
以上で食器洗浄機１０の構成について説明したので、続いてその動作について説明する。
洗浄槽２２が使用者によって収容位置に戻されると、上述したようにシール蓋開閉機構に案内されてシール蓋３６が降下して洗浄槽２２の上部開放部に押しつけられ、洗浄槽２２は蓋をされる。
洗浄槽２２が収容位置に戻される過程で、洗浄槽２２のロックピン５２はカム６２の切り込み部６２ａに係合し、カム６２を時計方向に回転させる。洗浄槽２２が収容位置に達すると、カム６２は図６（ｂ）に示されている位置まで回転する。カム６２がこの位置にまで回転すると、カムの外周６２ｃが電源スイッチ７５の押しボタン７５ａを押し込み、電源スイッチ７５はオンとなる。この状態では、カム６２は動きを拘束されていないので、引き出し方向の力を加えれば、洗浄槽２２を引き出すことができる。
電源スイッチ７５がオンになると、食器洗浄機１０は運転待機状態となり、この状態で使用者が運転スイッチを入れると、ソレノイド６６が作動してプランジャ６６ａは引き込まれる。レバー７２はプランジャ６６ａと連結されているので、プランジャ６６ａが引き込まれると回転軸７３の回りに回転する。この状態が図６（ｃ）に示されている。
【００２６】
レバー７２が図６（ｃ）に示されている位置にまで回転すると、係止部７２ａが信号スイッチ７９のアクチュエータ７９ｂの先端７９ｃを押し、これによって押しボタン７９ａが押し込まれ、信号スイッチ７９はオンとなる。信号スイッチ７９がオンになると、食器洗浄機１０の運転が開始される。
また、レバー７２が回転すると、図６（ｃ）に示されているように、レバー７２の先端の係止部７２ａがカム６２の切り込み部６２ａに差し込まれ、カム６２を係止する。
図６（ｄ）に示されているように、カム６２がレバー７２によって係止されている状態では、洗浄槽２２を引き出そうとして、ロックピン５２がカム６２に対して矢印５３方向の力を加えても、カム６２は回転することができない。すなわち、洗浄槽２２を引き出すことができない。
【００２７】
このように構成されたロック機構によれば、カム６２が洗浄槽収容位置（図６（ｂ）に示されている位置）にまで回転し、レバー７２の係止部７２ａが切り込み部６２ａに差し込まれ、カム６２に係止しないと食器洗浄機１０は運転されない。すなわち、洗浄槽２２が収容位置に収容され、ロックされていないと食器洗浄機１０は運転されない。この実施例では、ロックピン５２に係合するカム６２（係合部材）をレバー７２（係止部材）でロックすることで、洗浄槽２２を収容位置にロックする。このため、洗浄槽２２に、ロックピン５２のみを用意すればよい。これに代えて、レバー７２が直接に洗浄槽２２に係合してロックする構造を採用することもできる。しかし、後者の場合には、洗浄槽２２側にレバー７２のためのロックピンを別途に設けたり、あるいはロックピン５２を延長してカム６２とレバー７２の双方に係合するようにする等の処置が必要となる。
【００２８】
図７によく示されているように、本実施例の食器洗浄機１０のロック機構の場合、洗浄槽２２側にはカム６２と係合するロックピン５２のみが用意されていればよい。これに対して、例えば、ロックピン５２を延長し、この延長部にレバー７２が係止するような構成とすると、ロックピン５２の取り付け部（洗浄槽２２の側面２２ｃ）により大きな曲げモーメントが作用する。このため、補強部材を追加する等して、洗浄槽２２の側面２２ｃの強度を向上させる必要が生じてしまう。また、このような構成では、カム６２とレバー７２が軸方向に重なることとなるので、ロックボックス５４の厚さ（軸方向の厚さ）が大きくなり、洗浄槽２２の側面２２ｃをえぐるように形成しなければならず、洗浄槽２２の容積が減少する。図７〜図９によく示されているように、本実施例では、カム６２、レバー７２、ソレノイド６６、電源スイッチ７５、信号スイッチ７９が同一平面内に配置されているので、ロックボックス５４の厚さを薄くすることが可能となっている。
すなわち、本実施例の構成によれば、ロックボックス５４の厚さを薄くすることができるとともに、ロックピン５２の取り付け部に作用する曲げモーメントを低減することが可能となっている。
【００２９】
続いて、図１０を参照しながら、洗浄槽が収容位置にロックされて以降の食器洗浄機の動作を説明する。
洗浄槽２２が収容位置にロックされ、食器洗浄機１０の運転が開始されると、図示しない給水通路を経由して洗浄槽２２の底部に洗浄水が給水される。続いて、洗浄ポンプ４２が作動して洗浄槽２２の底部に給水されている洗浄水を吸込み通路２２ｂを経由して吸い込み、加圧して吐出通路４７に送り込む。吐出通路４７に送り込まれた洗浄水は、その下流のノズル４４に至り、複数のノズル穴４４ａから勢いよく噴出する。この状態が図１０に示されており、勢いよく噴出した洗浄水７９は食器３３に吹き付けられ、食器３３を洗浄しながら重力の作用で洗浄槽２２の底部に戻り、再び洗浄ポンプ４２に吸い込まれる。すなわち、洗浄水は循環しながら食器３３を洗浄する。また、洗浄水は、循環の過程において洗浄槽２２の底部に装着されているフィルタ４６を通過し、ここで洗浄水に含まれている食器３３から洗い流された残菜が捕捉される。
【００３０】
食器洗浄機１０が所定時間運転されると（運転時間は、運転前に使用者が操作パネル２５を操作して選択している）、運転が停止する。運転が停止すると、ロックボックス５４のソレノイド６６への通電が停止され、プランジャ６６ａは伸展し、レバー７２が回転してカム６２の係止が解除される（ロックが解除される）。カム６２の係止が解除されると、洗浄槽２２のロックピン５２に係合しているカム６２は回転可能となるので、洗浄槽２２は引き出すことができる。
なお、食器洗浄機１０が運転中に供給電源の停電が起こったり、ソレノイド６６に内臓されている電磁コイルの焼損が生じたりしても、電磁コイルの励磁が終了することとなるので、プランジャ６６ａは伸展し、結果として洗浄槽２２のロックは解除され、洗浄槽２２は引き出し可能となる。
【００３１】
洗浄運転の実行中に、洗浄する食器を追加したいようなことがある。この場合洗浄槽２２が収容位置でロックされていないと、洗浄運転中の洗浄槽２２が収容位置から引き出されてしまう。収容位置から引き出されると電源スイッチ７５がオフとなって洗浄ポンプ４２の運転が停止されるが、慣性によって洗浄ポンプ４２はしばらくの間回り続ける。このために、洗浄水が噴射されつづける。収容位置でロックされていないと、洗浄水が洗浄槽２２の外部に吹き出してしまう。
本実施例では、洗浄運転中は洗浄槽２２が収容位置でロックされており、先の現象は起きない。洗浄する食器を追加したい場合、作業者は操作パネル２５を操作して運転を中止する。すると洗浄ポンプ４２の運転が停止される。慣性によって洗浄ポンプ４２はしばらくの間は回り続けて停止する。この実施例では、運転中止スイッチが操作された場合、一定時間遅れてソレノイド６６をオフして洗浄槽２２をアンロックする。この遅れ時間は、洗浄ポンプ４２への駆動電力をカットしてからポンプ４２の回転が停止するまでの時間に等しく設定されている。このために、本実施例の場合、洗浄槽から洗浄水が漏れ出すことがない。
【００３２】
（実施例２）  本発明の第２実施例の食器洗浄機１０ａについて、図面を参照しながら説明する。図１１は、洗浄槽のロック機構の構成を示す斜視図である。
まず、保持機構とロック機構の構成を図１１を用いて説明する。なお、図１１の図示の左側が食器洗浄機１０ａの前方、右側が後方である。
洗浄槽２２（図示していない）の両側面には、前後に伸びるフランジ１１２が固定されており、このフランジ１１２の後端に円柱状のロックピン１１４が設けられている。また、カム１１６は、洗浄機本体２０（図示していない）に固定されている回転軸１１８の回りに回転可能とされている。カム１１６には、Ｕ字状の切り欠き部１１６ａが形成されている。カム１１６の前方側には、洗浄機本体２０から突出してストッパ１２２が形成されている。カム１１６が前方側に回転すると、このストッパ１２２に当接する。
【００３３】
カム１１６の後方側には、揺動板１２４が軸１２４ａの回りに回転可能に装着されている。そして、この揺動板１２４の後方には、洗浄機本体２０に取り付けられ、押し込み可能なボタン１２６ａを有する電源スイッチ１２６が配置されている。電源スイッチ１２６は、ボタン１２６ａが押し込まれた状態でオンとなる（電気的に通じる）。
また、弾性部材であるスプリング１２８の一端が、部位１２８ａでカム１１６に、他端が部位１２８ｂで洗浄機本体２０に取り付けられている。このようにスプリング１２８がカム１１６を付勢しているので、カム１１６をストッパ１２２に当接した位置から後方側に回転させると、カム１１６の回転にともなってスプリング１２８は引き伸ばされる。そして回転の途中までは、カム１１６に対してストッパ１２２側に戻そうとする力がスプリング１２８によって作用するが、さらに回転させるとカム１１６に作用する回転力の方向が変化する。すなわち、カム１１６は、前方側に回転してストッパ１２２に当接する位置か、後方側に回転して揺動板１２４を押し、揺動板が電源スイッチ１２６のボタン１２６ａを押し込んだ位置のいずれかで安定する。
【００３４】
カム１１６の下方には、洗浄機本体２０に固定されている回転軸１３４の回りにレバー１３２が揺動可能に装着されている。レバー１３２の下方には、電気的に作動するソレノイド１３６が取り付けられている。ソレノイド１３６は、通電されると引き込まれるプランジャ１３６ａを有しており、このプランジャ１３６ａの先端は、ピン１３６ｂでレバー１３２に連結されている。ソレノイド１３６が通電されていない状態では、プランジャ１３６ａはスプリング１３６ｃの力で伸展されている。
また、レバー１３２の一端１３２ａの下方には、洗浄機本体２０に取り付けられて、押し込み可能なボタン（図示していない）を有する信号スイッチ１３８が配置されている。信号スイッチ１３８のボタンは、ソレノイド１３６が通電され、レバー１３２が時計回り方向（図１１において）に揺動すると、レバー１３２の一端１３２ａによって押し込まれてオンとなる。
【００３５】
ここで、電源スイッチ１２６、ソレノイド１３６、信号スイッチ１３８の電気的作動シークエンスを説明しておく。
電源スイッチ１２６がオンになると、図示していない電気回路によって食器洗浄機１０ａは運転待機状態となり、この状態で使用者が操作パネル２５に設けられている運転スイッチを入れる（オンにする）と、ソレノイド１３６が作動する（励磁される）。そして、引き続いて信号スイッチ１３８がオンになると、食器洗浄機１０の運転が開始される。
【００３６】
続いて、食器洗浄機１０ａの動作について説明する。
洗浄槽２２を洗浄機本体２０に対して押し込み、収容位置に戻していくと、洗浄槽２２のフランジ１１２の後端に設けられているロックピン１１４がカム１１６の切り欠き部１１６ａに係合する（この状態が、図１１に２点鎖線で示されている）。さらに、洗浄槽２２を押し込むと、カム１１６はスプリング１２８に付勢されながら回転する。そして、カム１１６が途中まで回転すると、スプリング１２８によってカム１１６に与えられている回転力の方向が変化し、カム１１６は後方側に回転する。後方側に回転したカム１１６は、揺動板１２４を介して電源スイッチ１２６のボタン１２６ａを押し込み、この位置で安定する。この状態では、洗浄槽２２には、カム１１６を介してスプリング１２８の付勢力（回転力）が作用している。このため、洗浄槽２２を引き出すためには、カム１１６を付勢しているスプリング１２８の付勢力に打ち勝つ必要がある。すなわち、洗浄槽２２は収容位置に保持される。このように洗浄槽２２が収容位置に保持されると、洗浄槽２２は確実に収容位置に収まり、また洗浄槽２２を勢いよく収容位置に向けて押し込んだ際に、反動で押し戻されることが防止される。
【００３７】
上記のように、洗浄槽２２が収容位置に収容されると、電源スイッチ１２６のボタン１２６ａが、揺動板１２４を介してカム１１６によって押し込まれ、電源スイッチ１２６はオンとなる。電源スイッチ１２６がオンになると、食器洗浄機１０ａは運転待機状態になり、この状態で使用者が運転スイッチを入れると、ソレノイド１３６が作動してプランジャ１３６ａが引き込まれる（図１１は、ソレノイド１３６のプランジャ１３６ａが伸展している状態を示している）。プランジャ１３６ａが引き込まれると、レバー１３２が時計回転方向に揺動し、レバー１３２の他端１３２ｂがカム１１６の部位１１６ｂを係止する。カム１１６がレバー１３２によって係止されると、洗浄槽２２のロックピン１１４が係合しているカム１１６は回転することができず、このため洗浄槽２２を引き出すことは出来ない（洗浄槽はロックされる）。
以上説明した本実施例のロック機構は、実施例１と同様に係合部材（カム１１６）を介して係合部材（レバー１３２）が係合受け部材（ロックピン１１４）を係止する。従って、本実施例によっても実施例１と同様に、簡単な構成の洗浄槽のロック機構を得ることができる。
【００３８】
以上、本発明の実施例に係る食器洗浄機について説明したが、本発明は上記の実施例になんら限定されるものではなく、本発明は当業者の知識に基づいて種々の変更、改良を施した形態で実施することができる。
【００３９】
例えば、ロックピンを洗浄機本体に設け、カムとレバーとソレノイドを洗浄槽に装着する構成としてもよい。このような構成としても、収容位置に収容された洗浄槽のカムが洗浄機本体に設けられたロックピンに係合し、このカムをソレノイドに連結されたレバーが係止すれば、洗浄槽を収容位置にロックすることができる。
【００４０】
本発明は、発明者が鋭意行った種々の技術的検討の結果として成し遂げられたものであるので、これらの技術的検討についても「参考例」として以下に記載する。
（参考例１）第１参考例の洗浄槽のロック機構について、図面を参照しながら説明する。図１２、図１６、図２０は、ロック機構の断面図である。図１３、図１７、図２１は、カバーを取り外した状態のロックボックスの側面図である。図１４は、図１２のＸＩＶ―ＸＩＶ線断面図である。図１５は、図１２のＸＶ―ＸＶ線断面図である。図１８は、図１６のＸＶＩＩＩ―ＸＶＩＩＩ線断面図である。図１９は、図１６のＸＩＸ―ＸＩＸ線断面図である。図２２は、図２０のＸＸＩＩ―ＸＸＩＩ線断面図である。図２３は、図２０のＸＸＩＩＩ―ＸＸＩＩＩ線断面図である。なお、図１２〜図１５は、ロックピンがロックボックスの差し込まれる前の状態、図１６〜図１９は、ロックピンがロックボックスに差し込まれた状態、図２０〜図２３は、ロックピンが係止された状態を示している。
【００４１】
図１２に示されているように、ロック機構を主として構成するロックボックス２１２は、カムやソレノイド等の機構と、これらを収容するケーシング２１４と、ケーシング２１４に蓋をするカバー２１６等から構成されている。ロックボックス２１２は、図２に示されている第１実施例のロックボックス５４と同位置に装着される。また、洗浄槽にはロックピン２１５が形成されている。
図１３によく示されているように、ケーシング２１４にはロックピンが挿入される凹状の切り込み２１４ａが形成されている（カバー２１６にも、同形状の切り込みが形成されている）。また、図１４に示されているように、傾斜面２１８ｂと係合部２１８ａが形成されたスイッチカム２１８が、ケーシング２１４に対して上下方向にスライド可能に装着されている（図１４の上と下を、それぞれ上方、下方とする。以下同じ）。このスイッチカム２１８はシャフト２２２と結合されており、シャフト２２２はスプリング（図示していない）によって付勢されている。このため、スイッチカム２１８は、外部から力が作用しない状態では、スプリングの力によってロックボックス２１２の下方の位置に配置される。
スイッチカム２１８の後方（図１４の右側。この反対を前方とする。以下同じ）には、押し込み可能なボタン２２４ａが設けられた電源スイッチ２２４が装着されている。スイッチカム２１８には凸部２１８ｃが形成されており、スイッチカム２１８が上方にスライドすると、電源スイッチ２２４のボタン２２４ａを押し込む。
【００４２】
図１２に示されているように、スイッチカム２１８の裏側には、上下方向にスライド可能にロックカム２２６が装着される。このロックカム２２６は、図１５によく示されているように、凹状の係止部２２６ａと凸部２２６ｂが形成されている。また、通電されるとプランジャ２２８ａを引き込むソレノイド２２８がロックカム２２６の上側でケーシング２１４に取り付けられている。プランジャ２２８ａとロックカム２２６は結合されており、またプランジャ２２８ａはスプリング２２８ｂによって付勢されている。このため、ソレノイド２２８が通電されるとロックカム２２６は上方に移動し、通電が断たれるとスプリング２２８ｂの力によって下方位置に配置される。
ロックカム２２６の後方には、押し込み可能なボタン２３２ａが設けられた信号スイッチ２３２が装着されている。ロックカム２２６が上方にスライドすると、凸部２２６ｂが信号スイッチ２３２のボタン２３２ａを押し込む。
電源スイッチ２２４、ソレノイド２２８、信号スイッチ２３２の作動シークエンスについては、実施例１／実施例２と同様なので、ここでの説明は省略する。
【００４３】
続いて以上のように構成されたロック機構の動作について説明する。
図１２〜図１５に示されているように、洗浄槽が引き出された状態では、スイッチカム２１８とロックカム２２６は下方位置に位置している。
図１６〜図１９に示されているように、洗浄槽が収容位置に戻されると、洗浄槽の側面２２ｃに取り付けられているロックピン２１５が前方から後方に向けて差し込まれ、スイッチカム２１８の傾斜面２１８ｂに接触する。さらにロックピン２１５を後方に向け押し込むと、傾斜面２１８ｂをロックピン２１５が押す力の上方分力によって、スイッチカム２１８は上方に移動する。スイッチカム２１８が上方に移動すると、凸部２１８ｃが電源スイッチ２２４のボタン２２４ａを押し込み、電源スイッチ２２４をオンにする。
【００４４】
図２０〜図２３に示されているように、電源スイッチ２２４がオンになると、食器洗浄機は運転待機状態となり、この状態で運転スイッチが入れられると、ソレノイド２２８が作動してプランジャ２２８ａは引き込まれる。プランジャ２２８ａが引き込まれると、これと結合されているロックカム２２６は上方に移動し、図２３によく示されているように、ロックピン２１５はロックカム２２６の凹部２２６ａによって係止される。この状態では、ロックカム２２６に係止されたロックピン２１５を前方側に引き出すことが出来なくなるので、洗浄槽はロックされる。また、ロックカム２２６が上方に移動すると、ロックカム２２６の凸部２２６ｂが信号スイッチ２３２のボタン２３２ａを押し込みオンとする。信号スイッチ２３２がオンになると食器洗浄機の運転が開始される。
【００４５】
以上のように、本参考例の食器洗浄機のロック機構は構成されているが、実施例１／実施例２の食器洗浄機とは異なり、ロックカム２２６（係止部材）が直接洗浄槽側を係止する。このため、図２０によく示されているように、ロックピン２１５をロックカム２２６とスイッチカム２１８にまたがる長さに形成しなければならなかった。ロックピン２１５が長くなると、ロックピン２１５に加わる力（洗浄槽がロックされている状態で、洗浄槽を無理やり引き出そうとする力や、洗浄槽を勢いよく収容位置に押し込んだ場合に生じる力等）によってロックピン２１５が取り付けられている洗浄槽２２の側面２２ｃに大きな曲げモーメントが加わる。このため、補強部材を追加して側面２２ｃの強度を向上させる必要があった。このようにロックピン２１５に加わる大きな曲げモーメントに耐えるように洗浄槽の側面２２ｃを補強すると、部品点数が増えるとともに重量も増加し、コストアップを招く結果となってしまった。
また、この構成では、図２０に示されているように、ロックカム２２６とスイッチカム２１８が重なって配置されるので、ロックボックス２１２の厚さ（図２０の左右方向）が大きくなり、結果として洗浄槽の容積が減少してしまう。
以上説明した本参考例のデメリットについては、第１実施例を説明する図面である図７を本参考例の図２０と比較すれば明らかである。
そこで、発明者はさらに鋭意努力して、本発明を生み出すに至ったのである。
【００４６】
（参考例２）第２参考例の食器洗浄機のロック機構について、図面を参照しながら説明する。図２４は、カバーを取り外した状態のロックボックスの側面図であり、ロックピンがロックされる前の状態を示している。図２５は、同じくロックボックスの側面図であり、ロックピンがロックされた状態を示している。
図２４に示されているように、ロックボックス３１２のケーシング３１４には、レバー３１５、ソレノイド３２２等が収容される。
スクリュウ３２４によってケーシング３１４に取り付けられているソレノイド３２２は、通電時に引き込むプランジャ３２２ａを有している。レバー３１５は略Ｌ字状であり、ケーシング３１４に装着されている回転軸３１８の回りに回転可能に取り付けられている。レバー３１５の一端３１５ａはコ字状に形成されており、他端３１５ｂはソレノイド３２２のプランジャ３２２ａの先端に連結されている。
【００４７】
ケーシング３１４にスクリュウ３３４によって取り付けられるスイッチ３３２は、押し込まれることによってスイッチ３３２をオン状態にするボタン３３２ａを有している。
Ｕ字状に形成されているスライダー３２６は、ケーシングに形成されているガイド（３１４ａ、３１４ｂ）の間に、前後方向にスライド可能に装着されている（図２４の左を前方、右を後方とする）（図２４は、スライダー３２６が洗浄槽に固定されているロックピン３３８に押し込まれて、後方位置に位置している状態を示している）。スライダー３２６には凸部３２６ａが形成されており、スライダー３２６が後方位置にスライドすると、スイッチ３３２のボタン３３２ａを押し込んでオンにする。また、ケーシング３１４に形成されている受け部位３１４ｃとスライダー３２６との間にはスプリング３３４が挟み込まれている。洗浄槽のロックピン３３８がロックボックス３１２に差し込まれていない状態では、スライダー３２６はスプリング３３４に付勢されて前方に移動する。
【００４８】
図２４の状態から、ソレノイド３２２が通電されてプランジャ３２２ａが引き込まれると、レバー３１５は反時計方向に回転する。レバー３１５が回転すると、図２５に示されているように、レバーの一端３１５ａがロックピン３３８を係止し、洗浄槽はロックされる。
【００４９】
以上説明したロック機構は、レバー３１５とスライダー３２６が重なる（図２４の紙面に対して直角方向に）構成であり、このため第１参考例の食器洗浄機と同様に、ロックボックスの厚さが大きくなってしまった。
【図面の簡単な説明】
【図１】実施例１に係わる食器洗浄機の、斜視図
【図２】同、縦断面図（洗浄槽引き出し状態）
【図３】同、縦断面図（洗浄槽収容状態）
【図４】同、ロックボックスの外観図
【図５】同、図４のＶ―Ｖ線矢視図
【図６】同、ロックボックスの内部構成部材がロックピンをロックする過程を説明する図面
【図７】同、図６（ｃ）のＶＩＩ―ＶＩＩ線断面図
【図８】同、図６（ｃ）のＶＩＩＩ―ＶＩＩＩ線断面図
【図９】同、図６（ｃ）のＩＸ―ＩＸ線断面図
【図１０】同、縦断面図（洗浄槽運転状態）
【図１１】実施例２に係わる食器洗浄機の洗浄槽ロック機構の斜視図
【図１２】参考例１に係わる食器洗浄機の洗浄槽ロック機構の、断面図（ロックピン差し込み前の状態）
【図１３】同、側面図（ロックピン差し込み前の状態）
【図１４】同、図１２のＸＩＶ―ＸＩＶ線断面図（ロックピン差し込み前の状態）
【図１５】同、図１２のＸＶ―ＸＶ線断面図（ロックピン差し込み前の状態）
【図１６】同、断面図（ロックピン差し込み状態）
【図１７】同、側面図（ロックピン差し込み状態）
【図１８】同、図１６のＸＶＩＩＩ―ＸＶＩＩＩ線断面図（ロックピン差し込み状態）
【図１９】同、図１６のＸＩＸ―ＸＩＸ線断面図（ロックピン差し込み状態）
【図２０】同、断面図（ロックピン係止状態）
【図２１】同、側面図（ロックピン係止状態）
【図２２】同、図２０のＸＸＩＩ―ＸＸＩＩ線断面図（ロックピン係止状態）
【図２３】同、図２０のＸＸＩＩＩ―ＸＸＩＩＩ線断面図（ロックピン係止状態）
【図２４】参考例２に係わる食器洗浄機の洗浄槽ロック機構の、側面図（ロック前の状態）
【図２５】同、側面図（ロック状態）
【符号の説明】
１０：食器洗浄機（実施例１）、１０ａ：食器洗浄機（実施例２）
２０：洗浄機本体、２０ａ：側壁
２２：洗浄槽、２２ａ：周縁、２２ｂ：吸込み通路、２２ｃ：側面
２４：扉、２４ａ：取っ手
２５：操作パネル
３２：洗浄槽レール
３３：食器
３４：本体側レール
３６：シール蓋
３７：シール
４２：洗浄ポンプ、４２ａ：インペラ、４２ｂ：ファン、４２ｃ：電気モータ
４４：ノズル、４４ａ：ノズル穴
４６：フィルタ
４７：吐出通路
５２：ロックピン、５２ａ：一端、５２ｂ：ネジ、５２ｃ：固定ナット
５３：矢印
５４：ロックボックス、５４ａ：切り込み
５５：ケーシング、５５ａ：フック、５５ｂ：凸部、５５ｃ：ストッパ
５６：カバー
５７、５８：スクリュウ
５９：ナット
６２：カム、６２ａ：切り込み部、６２ｂ：凸部、６２ｃ：外周
６３：回転軸
６４：スプリング
６５：軸
６６：ソレノイド、６６ａ：プランジャ、６６ｂ：スプリング
６７：スクリュウ
６８：ストッパ
７２：レバー、７２ａ：係止部
７３：回転軸
７５：電源スイッチ、７５ａ：ボタン、７５ｂ：端子、７５ｃ：端子
７６、７８：スクリュウ
７９：信号スイッチ、７９ａ：ボタン，７９ｂ：アクチュエータ，７９ｃ：先端、７９ｄ：端子、７９ｅ：端子
１１２：フランジ
１１４：ロックピン
１１６：カム、１１６ａ：切り欠き部、１１６ｂ：カムの部位
１１８：回転軸
１２２：ストッパ
１２４：揺動板、１２４ａ：軸
１２６：電源スイッチ、１２６ａ：ボタン
１２８：スプリング、１２８ａ：カムの部位、１２８ｂ：洗浄機本体の部位
１３２：レバー、１３２ａ：レバーの一端、１３２ｂ：レバーの他端
１３４：回転軸
１３６：ソレノイド、１３６ａ：プランジャ、１３６ｂ：ピン、１３６ｃ：スプリング
１３８：信号スイッチ
２１２：ロックボックス
２１４：ケーシング、２１４ａ：切り込み部
２１５：ロックピン
２１６：カバー
２１８：スイッチカム、２１８ａ：係合部、２１８ｂ：傾斜面、２１８ｃ：凸部２２２：シャフト
２２４：電源スイッチ、２２４ａ：ボタン
２２６：ロックカム、２２６ａ：係止部、２２６ｂ：凸部
２２８：ソレノイド、２２８ａ：プランジャ、２２８ｂ：スプリング
２３２：信号スイッチ、２３２ａ：ボタン
３１２：ロックボックス
３１４：ケーシング、３１４ａ：ガイド、３１４ｂ：ガイド、３１４ｃ：受け部位
３１５：レバー、３１５ａ：レバーの一端、３１５ｂ：レバーの他端
３１８：回転軸
３２２：ソレノイド、３２２ａ：プランジャ
３２４：スクリュウ
３２６：スライダー、３２６ａ：凸部
３３２：スイッチ、３３２ａ：ボタン
３３４：スプリング
３３８：ロックピン
【図１】
0003631435.tif 000002
【図２】
0003631435.tif 000003
【図３】
0003631435.tif 000004
【図４】
0003631435.tif 000005
【図５】
0003631435.tif 000006
【図６】
0003631435.tif 000007
0003631435.tif 000008
0003631435.tif 000009
0003631435.tif 000010
【図７】
0003631435.tif 000011
【図８】
0003631435.tif 000012
【図９】
0003631435.tif 000013
【図１０】
0003631435.tif 000014
【図１１】
0003631435.tif 000015
【図１２】
0003631435.tif 000016
【図１３】
0003631435.tif 000017
【図１４】
0003631435.tif 000018
【図１５】
0003631435.tif 000019
【図１６】
0003631435.tif 000020
【図１７】
0003631435.tif 000021
【図１８】
0003631435.tif 000022
【図１９】
0003631435.tif 000023
【図２０】
0003631435.tif 000024
【図２１】
0003631435.tif 000025
【図２２】
0003631435.tif 000026
【図２３】
0003631435.tif 000027
【図２４】
0003631435.tif 000028
【図２５】
0003631435.tif 000029